(57)【特許請求の範囲】
【請求項１】
球技用ボールを収容するためのボール籠であって、
垂直方向に立設された４つの支柱と、
当該４つの支柱のうち、一組の２つの支柱の上端にそれぞれ中間部が旋回自在に支持され、かつ互いに交差軸を介して交差するように下端が当該２つの支柱に摺動自在に設けられた１組の２つの可動腕と、他の一組の２つの支柱の上端にそれぞれ中間部が旋回自在に支持され、かつ互いに交差軸を介して交差するように下端が当該２つの支柱に摺動自在に設けられた他の一組の２つの可動腕と、
を備え、
当該４つの可動腕の自由端側にボール収容手段が支持されてなるボール籠。
【請求項２】
脚部を構成する垂直方向に立設された第１および第２の支柱、および該第１および第２の支柱によって規定される面に対向する面内に、それぞれ垂直方向に立設された第３および第４の支柱と、前記第１の支柱の上端に中間部が旋回自在に支持され、前記第２の支柱に下端が摺動自在に取りつけられた第１の可動腕と、前記第２の支柱の上端に中間部が旋回自在に支持され、前記第１の支柱に下端が摺動自在に取りつけられ、当該第１の可動腕と交差軸を介して交差する第２の可動腕と、前記第３の支柱の上端に中間部が旋回自在に支持され、前記第４の支柱に下端が摺動自在に取りつけられた第３の可動腕と、前記第４の支柱の上端に中間部が旋回自在に支持され、前記第３の支柱に下端が摺動自在に取りつけられ、当該第３の可動腕と交差軸を介して交差する第４の可動腕と、前記第１の支柱の上端に一端が旋回自在に支持され、前記第３の支柱に他端が摺動自在に取りつけられた第１補助アームと、前記第３の支柱の上端に一端が旋回自在に支持され、前記第１の支柱に他端が摺動自在に取りつけられ、当該第１補助アームと交差軸を介して交差する第２補助アームと、前記第２の支柱の上端に一端が旋回自在に支持され、前記第４の支柱に他端が摺動自在に取りつけられた第３補助アームと、前記第４の支柱の上端に一端が旋回自在に支持され、前記第２の支柱に他端が摺動自在に取りつけられ、当該第３補助アームと交差軸を介して交差する第４補助アームとからなる球技用ボールを収容するためのボール籠であって、前記第１、第２、第３および第４の支柱の長さが実質的に同一であり、前記第１、第２、第３および第４の可動腕の長さが実質的に同一であり、前記第１、第２、第３および第４補助アームの長さが実質的に同一であり、前記第１、第２、第３および第４の可動腕の自由端側に、ボールを収容するためのボール収容手段が支持されてなることを特徴とするボール籠。
【請求項３】
前記第１、第２、第３および第４の支柱の上端に、それぞれ前記第１、第２、第３および第４の可動腕を支持するための軸受が設けられ、前記第１、第２、第３および第４の可動腕の下部に摺動子が摺動自在に設けられ、当該第２の可動腕、第１の可動腕、第４の可動腕および第３の可動腕の下端が、それぞれ前記第１、第２、第３および第４の支柱に設けられた摺動子に連結されてなる請求項２記載のボール籠。
【請求項４】
前記ボール収容手段の下方であって、前記第１ないし第４支柱のあいだの空間において、小物を収納するためのボックスが前記第１ないし第４支柱に着脱自在に取りつけられてなる請求項１、２または３記載のボール籠。
【発明の詳細な説明】
【０００１】
【発明の属する技術分野】
本発明は、バレーボール、バスケットボール、ハンドボールなどの球技用ボールを収容するためのボール籠に関する。さらに詳しくは、垂直方向に立設された４つの支柱と、当該４つの支柱の一組の２つの支柱の上端および他の一組の２つの支柱の上端にそれぞれ中間部が旋回自在に支持され、かつ互いに交差するように他端が当該２つの支柱に摺動自在に設けられた４つの可動腕を備え、当該４つの可動腕の自由端側にボール収容手段が支持されてなるボール籠に関する。
【０００２】
【従来の技術および発明が解決しようとする課題】
かかる球技用ボールを収容するためのボール籠として、たとえば、特開平９−３１３６４９号公報に開示されたものがある（以下、「従来技術１」という）。
【０００３】
図１２に示されているように、従来技術１のボール籠は垂直方向に立設される４つの支柱１０１を備えている。４つの支柱１０１は、それぞれ、外側支柱１１２と該外側支柱１１２に入れ子式に挿入される内側支柱１１１とから構成される。外側支柱１１２の上端には固定ブラケット１０２が設けられており、外側支柱１１２の下部には移動ブラケット１０３が摺動自在に設けられている。外側支柱の上端の固定ブラケット１０２と、該外側支柱に隣接する外側支柱の下部の移動ブラケット１０３とに旋回自在に連結されたＸ状アームが設けられている。また、支柱１０１の内側支柱の上部と当該支柱１０１の外側支柱に設けられた移動ブラケット１０３とは連結棒１０５により接続されている。
【０００４】
このように従来技術１のボール籠は、４つの支柱１０１に囲まれた空間内に籠体１０７を入れるため、ボールの収容量を確保するためには、該空間全体を利用する必要があり、どうしても籠体１０７の深さを深くせざるを得ない。このため、籠体１０７内のボールの数が減り、残り少なくなったとき、残りのボールは深底の籠体の底にあるので、取り出しにくいという問題がある。
【０００５】
一方、図１３には、他の従来技術にかかわるボール籠が示されている（以下、「従来技術２」という）。
【０００６】
従来技術２のボール籠は、二組の脚２０１、２０２、２０３、２０４を備えている。当該二組の脚のうちの一組２０１および２０２は、互いに交差し、かつ交差した箇所で軸支されている。なお、これら一組の脚２０１および２０２は垂直面を構成する。
【０００７】
同様に、当該二組の脚のうちの他の一組２０３および２０４も互いに交差し、かつ交差した箇所で軸支されている。なお、これら他の一組の脚２０３および２０４は、前記垂直面と対向する垂直面を構成する。
【０００８】
さらに、補助アーム２０５、２０６、２０７、２０８が前記二組の脚２０１、２０２、２０３、２０４に揺動自在に設けられている。補助アーム２０５の下端は脚２０１の下部に揺動自在に取りつけられ、補助アーム２０５の上端は脚２０３の上部に取りつけられ、補助アーム２０６の下端は脚２０４の下部に揺動自在に取りつけられ、補助アーム２０６の上端は脚２０２の上部に取りつけられ、補助アーム２０７の下端は脚２０３の下部に取りつけられ、補助アーム２０７の上端は脚２０１の上部に取りつけられ、補助アーム２０８の下端は脚２０２の下部に揺動自在に取りつけられ、補助アーム２０８の上端は脚２０４の上部に取りつけられている。また、補助アーム２０５と補助アーム２０６とは交差し、かつ交差した箇所で軸支されている。同様に、補助アーム２０７と補助アーム２０８とは交差し、かつ交差した箇所で軸支されている。ボールを収容する籠体は脚２０１、２０２、２０３、２０４の自由端に支持される。
【０００９】
このように構成される従来技術２のボール籠は、折り畳んだときに、背が高くなるという問題がある。
【００１０】
また、交差した脚または補助アームが籠体の四周を取り囲むように交差して配列されるため、籠体の中からボールを取り出そうとする人の足が、当該脚の下部に引っ掛かるという問題もある。
【００１１】
本発明は、かかる叙上の従来技術の問題点を解消し、ボールを取り出そうとする人の足が引っ掛かったり、邪魔になることがなく、そのうえ、コンパクトに折り畳むことができるボール籠を提供することである。
【００１２】
【課題を解決するための手段】
本発明のボール籠は、球技用ボールを収容するためのボール籠であって、垂直方向に立設された４つの支柱と、当該４つの支柱のうち、一組の２つの支柱の上端にそれぞれ中間部が旋回自在に支持され、かつ互いに交差軸を介して交差するように下端が当該２つの支柱に摺動自在に設けられた１組の２つの可動腕と、他の一組の２つの支柱の上端にそれぞれ中間部が旋回自在に支持され、かつ互いに交差軸を介して交差するように下端が当該２つの支柱に摺動自在に設けられた他の一組の２つの可動腕と、を備え、当該４つの可動腕の自由端側にボール収容手段が支持されてなることを特徴とする（請求項１）。
【００１３】
また、本発明の球技用ボールを収容するためのボール籠は、脚部を構成する垂直方向に立設された第１および第２の支柱、および該第１および第２の支柱によって規定される面に対向する面内に、それぞれ垂直方向に立設された第３および第４の支柱と、前記第１の支柱の上端に中間部が旋回自在に支持され、前記第２の支柱に下端が摺動自在に取りつけられた第１の可動腕と、前記第２の支柱の上端に中間部が旋回自在に支持され、前記第１の支柱に下端が摺動自在に取りつけられ、当該第１の可動腕と交差軸を介して交差する第２の可動腕と、前記第３の支柱の上端に中間部が旋回自在に支持され、前記第４の支柱に下端が摺動自在に取りつけられた第３の可動腕と、前記第４の支柱の上端に中間部が旋回自在に支持され、前記第３の支柱に下端が摺動自在に取りつけられ、当該第３の可動腕と交差軸を介して交差する第４の可動腕と、前記第１の支柱の上端に一端が旋回自在に支持され、前記第３の支柱に他端が摺動自在に取りつけられた第１補助アームと、前記第３の支柱の上端に一端が旋回自在に支持され、前記第１の支柱に他端が摺動自在に取りつけられ、当該第１補助アームと交差軸を介して交差する第２補助アームと、前記第２の支柱の上端に中間部が旋回自在に支持され、前記第４の支柱に他端が摺動自在に取りつけられた第３補助アームと、前記第４の支柱の上端に一端が旋回自在に支持され、前記第２の支柱に他端が摺動自在に取りつけられ、当該第３補助アームと交差軸を介して交差する第４補助アームとからなるボール籠であって、前記第１、第２、第３および第４の支柱の長さが実質的に同一であり、前記第１、第２、第３および第４の可動腕の長さが実質的に同一であり、前記第１、第２、第３および第４補助アームの長さが実質的に同一であり、前記第１、第２、第３および第４の可動腕の自由端側に、ボールを収容するためのボール収容手段が支持されてなるように構成することもできる（請求項２）。
【００１４】
また、前記第１、第２、第３および第４の支柱の上端に、それぞれ前記第１、第２、第３および第４の可動腕を支持するための軸受が設けられ、前記第１、第２、第３および第４の可動腕の下部に摺動子が摺動自在に設けられ、当該第２の可動腕、第１の可動腕、第４の可動腕および第３の可動腕の下端が、それぞれ前記第１、第２、第３および第４の支柱に設けられた摺動子に連結されてなることが好ましい（請求項３）。
【００１５】
また、前記ボール収容手段の下方であって、前記第１ないし第４支柱のあいだの空間において、小物を収納するためのボックスは、前記第１ないし第４支柱に着脱自在に取りつけられてなるようにすることができる（請求項４）。
【００１６】
【発明の実施の形態】
添付図面を参照しつつ、本発明の実施の形態にかかわるボール籠を詳細に説明する。
【００１７】
図１は本発明の一実施の形態にかかわるボール籠の一例の使用状態を示す斜視図、図２は図１のボール籠から収容ネットをはずした状態を示す正面図、図３は図１のボール籠から収容ネットをはずした状態を示す平面図、図４は図１のボール籠から収容ネットをはずして畳んだ状態を示す正面図、図５は図１のボール籠から収容ネットをはずして畳んだ状態を示す平面図、図６は支柱に可動腕を支持するための軸受を示す平面図、図７は摺動子を示す平面図、図８は図６の軸受の断面説明図、図９は図７の摺動子の断面説明図、図１０は本発明のボール籠に適用される収納ネットの一例を示す説明図、図１１は本発明のボール籠に適用されるボックスの一例を示す説明図である。
【００１８】
図１〜３を参照すると、本実施の形態のボール籠１は、まず、床の上に垂直方向に立設された４つの支柱（すなわち、第１、第２、第３および第４の支柱）１１、１２、１３、１４を備えている。当該４つの支柱１１、１２、１３、１４の下端にキャスタＣを設けるとボール籠１の移動が容易になるので好ましい。
【００１９】
これら４つの支柱１１、１２、１３、１４のうちの一組の支柱（すなわち、第１および第２の支柱）１１、１２の上端および他の一組の支柱（すなわち、第３および第４の支柱）１３、１４の上端には、それぞれ軸受２０が設けられており（図６参照）、この軸受２０により４つの可動腕（すなわち、第１、第２、第３および第４の可動腕）２１、２２、２３、２４の中間の部位が旋回自在に支持されている。軸受２０は、支柱１１〜１４の上端に、ビス８１の締付により固定されている（図６参照）。また、４つの可動腕２１、２２、２３、２４のうちの一組の可動腕（第１および第２の可動腕）２１および２２は互いに交差しており、他の一組の可動腕（第３および第４の可動腕）２３および２４も同様に互いに交差している。さらに、当該一組の可動腕（第１および第２の可動腕）２１および２２はピン３０により枢支されており（図２、３参照）、当該他の一組の可動腕（第３および第４の可動腕）２３および２４もピン３１により同様に枢支されている。これらのピン３０、３１が交差軸を構成する。支柱１１、１２、１３、１４および可動腕２１、２２、２３、２４は、断面四角形のアルミパイプにて構成することができる。
【００２０】
４つの支柱１１、１２、１３、１４の中間には、それぞれ摺動子４１、４２、４３、４４が摺動自在に設けられている。また、摺動子４１には可動腕２１の一端（下位端）がピン５０により枢支され、摺動子４２には可動腕２２の一端（下位端）が枢支されている（図２参照）。同様に、摺動子４３には可動腕２４の一端（下位端）がピン５０により枢支され、摺動子４４には可動腕２３の一端（下位端）が枢支されている。これにより、可動腕２１、２２、２３、２４の下端は支柱１１、１２、１３、１４上を摺動することができる。軸受２０および摺動子４１〜４４は、ナイロンなどの合成樹脂にて形成することができる。
【００２１】
４つの可動腕２１、２２、２３、２４のそれぞれの自由端（上位端）側にボールＢを収容するための収容ネット（ボール収容手段）６０が支持されている。
【００２２】
本実施の形態のばあい、図１に示されるように、収容ネット６０の下側に小物を収容するためのボックス６５を設けてよいが、必須ではない。
【００２３】
ボール籠１は、第１、第２、第３および第４補助アーム７１、７２、７３および７４を備えている（図１〜３参照）。これらの第１〜第４補助アーム７１〜７４も、断面四角形のアルミパイプにて構成することができる。
【００２４】
第１補助アーム７１の上端は、第１の支柱１１の上端の軸受２０にピン８０により旋回自在に支持されており、第１補助アーム７１の下端は、第３の支柱１３に設けられた摺動子４３にピン９０により旋回自在に取りつけられている。
【００２５】
第２補助アーム７２の上端は、第３の支柱１３の上端の軸受２０にピン８０により旋回自在に支持され、第２補助アーム７２の下端は、第１の支柱１１にピン９０により旋回自在に取りつけられている。第１補助アーム７１と第２補助アーム７２とは互いに交差している。
【００２６】
第３補助アーム７３の上端は、第２の支柱１２の上端の軸受２０にピン８０により旋回自在に支持され、第３補助アーム７３の下端は、第４の支柱１４に設けられた摺動子４４にピン９０により旋回自在に取りつけられている。
【００２７】
第４補助アーム７４の下端は、第４の支柱１４の上端にピン８０により旋回自在に支持され、第４補助アーム７４の下端は、第２の支柱１２の下部に設けられた摺動子４２にピン９０により旋回自在に取りつけられている。第３補助アーム７３と第４補助アーム７４とは互いに交差している。
【００２８】
なお、第１、第２、第３および第４の支柱１１、１２、１３、１４の長さは実質的に同一であり、第１、第２、第３および第４の可動腕２１、２２、２３、２４の長さも実質的に同一であり、さらに、第１、第２、第３および第４補助アーム７１、７２、７３、７４の長さも実質的に同一である。
【００２９】
図６および図８の（ａ）、（ｂ）、（ｃ）（図８の（ａ）、（ｂ）、（ｃ）では、支柱１１、可動腕２１および第１補助アーム７１を省略）について、軸受２０の構造をさらに詳しく説明すると、参照符号８２は、支柱１１〜１４の上端が嵌合する孔で、ネジ孔８３にビス８１が螺着されることにより、支柱１１〜１４に対し軸受２０が固定される。参照符号８４は、孔８２の上端中央に形成されたネジ孔であり、図３に示すボックス６５を固定するボルト８６が差し込まれる。参照符号８７は、可動腕２１が位置する凹所で、可動腕２１、２２の最大開放角度を規制する傾斜面８８（本実施の形態のばあい、水平線に対し３３°）を有している。参照符号８９は、凹所８７の側面に形成された孔で、可動腕２１を貫通するピン９１が固定される。参照符号９２は、支柱１１を中心として凹所８７に対し９０°回転した位置に形成された他の凹所で、第１補助アーム７１が位置し、ピン８０を固定する孔９３が形成されている。この凹所９２にも、第１補助アーム７１の最大開放角度を規制する傾斜面９４（本実施の形態のばあい、垂直線に対し３３°）が設けられている。凹所９２は、第２補助アーム７２と交差させるため、その支柱１１からの位置は、凹所９２の幅（Ｗ）分だけ離れて設定されている。
【００３０】
つぎに、図７および図９の（ａ）、（ｂ）、（ｃ）（図９の（ａ）、（ｂ）、（ｃ）では、支柱１１、可動腕２１および第２補助アーム７２を省略）について、軸受２０の下方に位置する摺動子４１の構造を説明する。この摺動子４１は、軸受２０の構造のほとんどの部分において同一であるが、摺動子４１では、支柱１１が位置する孔９５が貫通孔とされている。摺動子４１は、軸受２０に対して、表裏面を逆転した配置で使用される。可動腕２２が位置する凹所９６は、可動腕２１と交差させるために、その幅（Ｗ）分だけ孔９５から離して設定されている。逆に第２補助アーム７２が位置する凹所９７は、第１補助アーム７１より内側に位置するために、孔９５に近い位置に設定されている。参照符号９８は、可動腕２２を支持するピン５０が貫通する孔、参照符号９９は、第２補助アーム７２を支持するピン９０が貫通する孔である。
【００３１】
図１０は、収容ネット６０のの構造を示し、カンバス布などの織布を縫い合せて略舟型の形状に形成され、四隅の傾斜部分に布を折り込んで形成した孔１２０が設けられている。この孔１２０に可動腕２１〜２４の自由端側が通され、ネット６０は、これに着脱自在に取りつけられる。
【００３２】
図１１は、ボックス６５の構造を示し、ネット６０と同様カンバス布などの職布を縫い合せて、上方を開放した略直方体に形成されている。参照符号８５は、四隅の上端に取りつけられた前述のベルトで、その上端にボルト８６（図３、５参照）を通す孔１２１が形成されている。参照符号１２２は、ボックス６５の四隅の下端に取りつけられた面状ファスナーで、支柱１１〜１４に巻きつけられる。このボックス６５には、ボール以外の小物、たとえばタオル、テーピング用テープ、救急用品、ドリンクボトル、作戦盤等が収納される。
【００３３】
本実施の形態にかかわるボール籠１は、叙上のように、ボール籠１を構成している部品の点数が比較的多いが、図４〜５に示されているように、たとえボックス６５を備えていても、きわめてコンパクトに折りたたむことができる。
【００３４】
【発明の効果】
本発明のボール籠は、垂直方向に立設された４つの支柱と、当該４つの支柱の一組の２つの支柱の上端および他の一組の２つの支柱の上端にそれぞれ中間部が旋回自在に支持され、かつ互いに交差するように他端が当該４つの支柱に摺動自在に設けられた４つの可動腕を備えてなる構成であるので、ボールを取り出そうとする人の足が引っ掛かかたり、邪魔になることがなく、そのうえ、コンパクトに折り畳むことができる。
【００３５】
本発明によれば、Ｘ字状に交差した可動腕を４本の支柱で支持する構造としたから、強固な枠体構造が得られ、それゆえ、可動腕および支柱自体は軽量な材料、たとえば、アルミパイプの使用が可能になり、軽量化を図ることができる。具体的には、図１３に示す従来構造では、構造上強度が充分ではないために、支柱などに鉄製パイプを使用する必要があり、重くならざるを得ず、同一容量のボール籠で従来構造のものは重量が約６ｋｇであるのに対して、本発明のばあいは約４ｋｇと軽量である。
【００３６】
また、本発明によれば、Ｘ字状に交差する可動腕の交差点より上方部分、すなわちネットが位置する部分を、交差点より下の部分より大きく、かつその開放角度も広くとることができる。また折り畳んだときの高さは、本発明の場合、支柱の長さに、可動腕の支柱連結部より上部分の長さを加えたものになるのに対し、従来構造のものは、支柱自体の長さとなり、結果的には本発明の構造の方を短くすることができる。
【００３７】
また、本発明によれば、ボール以外の小物を入れるボックスを取りつけたことにより、ゲーム、練習時に、これらをボールと一緒に移動できるという利点がある。
【図面の簡単な説明】
【図１】本発明の一実施の形態にかかわるボール籠の一例の使用状態を示す斜視図である。
【図２】図１のボール籠から収容ネットをはずした状態を示す正面図である。
【図３】図１のボール籠から収容ネットをはずした状態を示す平面図である。
【図４】図１のボール籠から収容ネットをはずして畳んだ状態を示す正面図である。
【図５】図１のボール籠から収容ネットをはずして畳んだ状態を示す平面図である。
【図６】支柱に可動腕を支持するための軸受を示す平面図である。
【図７】摺動子を示す平面図である。
【図８】図６の軸受の断面説明図である。
【図９】図７の摺動子の断面説明図である。
【図１０】本発明のボール籠に適用される収容ネットの一例を示す説明図である。
【図１１】本発明のボール籠に適用されるボックスの一例を示す説明図である。
【図１２】従来のボール籠の一例の構造を示す説明図である。
【図１３】従来のボール籠の他の例の構造を示すスケルトン図である。
【符号の説明】
１  ボール籠
１１、１２、１３、１４  支柱
２０  軸受
２１、２２、２３、２４  可動腕
３０、５０、８０、９０  ピン
４１、４２、４３、４４  摺動子
６０  収容ネット
６５  ボックス
７１  第１補助アーム
７２  第２補助アーム
７３  第３補助アーム
７４  第４補助アーム
８５  ピン
Ｃ  キャスタ
【図１】
0004465098.tif 000002
【図２】
0004465098.tif 000003
【図３】
0004465098.tif 000004
【図４】
0004465098.tif 000005
【図５】
0004465098.tif 000006
【図６】
0004465098.tif 000007
【図７】
0004465098.tif 000008
【図８】
0004465098.tif 000009
【図９】
0004465098.tif 000010
【図１０】
0004465098.tif 000011
【図１１】
0004465098.tif 000012
【図１２】
0004465098.tif 000013
【図１３】
0004465098.tif 000014